(57)【要約】【課題】      延長放送、又は繰り下げ放送のなされる放送番組の録画予約に際し、電子番組表により予約した番組の録画を自動的に更新して行う番組予約システムを実現することにある。【解決手段】  放送時刻情報を提供するサーバ３１は、電子番組表１０４ａに記述される延長番組を検出し、その番組の延長情報の提供を複数の端末２２ａ、２２ｂに依頼し、複数の端末から提供されるそれぞれの延長情報を基に、延長状況を複数に分類した延長ステージ情報を生成して通信ネットワーク７上に公開すると共に、複数の端末２２ａ、２２ｂから提供される延長予想時間の分布を求め、延長予想時間の分布が所定の範囲にあるときは、延長番組の終了予定時刻情報を生成して通信ネットワーク７に公開するようにして番組予約システムを実現した。【選択図】図１
2005109671.tif 000002
【特許請求の範囲】
【請求項１】
電子番組表を用いて所望の放送番組を録画予約する録画装置に対し、放送番組の延長に伴い前記電子番組表に記述された前記放送番組の開始または終了時刻が繰り下げられて放送されるときには、外部から得られる放送番組の延長決定情報及び終了時刻情報に基づいて前記繰り下げられた放送の時刻を更新記述した更新電子番組表を作成し、作成された前記更新電子番組表を前記録画装置に配信する更新電子番組表の配信方法であって、
前記電子番組表に記述され、延長される可能性のある延長性番組を検出する第１のステップと、
前記延長情報に基づいて前記延長性番組が延長放送されていることを記述した更新電子番組表を前記録画装置に配信する第２のステップと、
前記第２ステップの後に、前記終了時刻情報に基づいて作成した更新電子番組表を前記録画装置に配信する第３のステップと、
を有し、前記録画装置に対し、前記延長性番組の終了以降に前記繰り下げられて放送される予約番組の録画を開始させるようになすことを特徴と更新電子番組表の配信方法。
【請求項２】
電子番組表を用いて所望の放送番組を録画予約する録画装置に対し、放送番組の延長に伴い前記電子番組表に記述された前記放送番組の開始または終了時刻が繰り下げられて放送される場合には、外部から得られる放送番組の延長決定情報及び終了時刻情報に基づいて前記繰り下げられた放送の時刻を更新記述した更新電子番組表を作成し、作成された前記更新電子番組表を前記録画装置に配信する更新電子番組表の配信方法であって、
前記電子番組表に記述され、延長される可能性のある延長性番組を検出する第１のステップと、
前記延長性番組は中止されずに放送される第１ステージにあるか、前記延長性番組は延長して放送される可能性がある第２ステージにあるか、前記延長性番組は延長されることが決定された第３ステージにあるか、及び延長されてなされる前記延長性番組の終了時刻が近づきつつある第４ステージにあるか、のステージ情報を記述した前記更新電子番組表を作成して前記録画装置に配信する第２のステップと、
を有し、前記第２のステップにおいて前記第４ステージにあるときには、前記終了時刻情報に基づいて作成した更新電子番組表を前記録画装置に配信するステップを有することを特徴と更新電子番組表の配信方法。
【発明の詳細な説明】
【技術分野】
【０００１】
本発明は、電子番組表に記述され、延長放送が予定される番組に係る延長情報を、実際の放送内容を基にして作成して録画装置に提供することにより、その録画装置は延長放送される番組、及び繰り下げ放送される番組の録画を、放送時刻の変更に応じて更新して行う更新電子番組表の配信方法に関するものである。
【背景技術】
【０００２】
放送番組を録画するＶＴＲなどの録画装置が一般家庭で用いられるようになってから２０年以上を経過する。その間、ＶＴＲには多くの機能が付加され好適な録画動作が行われるようになった。そして近年になり、テープメディアの代りにランダムアクセス性の優れたディスクメディアを用いるＤＶＤレコーダ、及びハードディスクをメディアとして用いるＨＤＤレコーダも開発され、市場に供給されている。
【０００３】
それらの記録装置によれば、予め番組表を参照する等により録画予約を行って放送番組を記録し、利用者が視聴時間を確保できるときに再生するなど、タイムシフト機能として利用される。そのタイムシフト機能により利用者は放送時間に拘束されることなく、限られた時間を有効に活用できるなど記録装置は便利に用いられている。
【０００４】
しかし、番組の放送時刻が変更されてしまう場合では、その後に放送される番組の放送時刻が繰り下げられるなどにより、所望の番組を正しく録画することができない場合がある。例えば野球の放送時間が延長され、その後に放送される番組の放送時刻が繰り下げられる場合などであり、そのときには繰り下げて放送される時刻に合わせて録画時刻を再設定する必要が生じる。そして、再設定を行わない場合には予定していた番組の全てを録画できないことになり、好適ではない。
【０００５】
そこで、番組の放送開始・終了時間、及びコマーシャルやニュースの開始・終了時間に関する情報を、ネットワーク等を介して取得し、その情報に基づいて予め録画した放送番組を編集して再記録し、視聴用として用いる方法がある。
【０００６】
そして、再記録のための編集情報に関しては、コマーシャルやニュースを削除するか否か、又は番組と異なる位置にシフトして再記録するかなどの情報を含むこともできるようになされている。そのようにして、通信ネットワークを介して得られる時刻情報に基づいて、コマーシャルやニュースを削除、移動させるようにして編集した視聴用番組を視聴する方法の提案がなされている（例えば、特許文献１参照。）。
【０００７】
また、予約要求を送信する録画要求送信手段を備えた情報端末と、予約要求を受信し、その予約要求の有無及び内容を送信する予約制御手段と、受信した予約要求を記憶する第１の記憶手段とを備えた予約サーバと、上記予約制御手段より送信された予約要求を受信するとともに、その予約要求の内容に基づいて番組録画装置に録画予約の指示である予約要求を送信する登録手段と、受信された予約要求を記憶する第二の記憶手段を備えたホームサーバと、リクエストした番組が放送されるか否かを通知するリクエスト制御手段を備えたリクエスト受付サーバとを備えた録画予約システムにより、遠隔地にて録画予約が可能であり、さらに番組放送の変更に対しても自動的に対応した録画のできる録画予約システムが提案されている（例えば、特許文献２参照。）。
【特許文献１】特開２０００−２７０２９０
【特許文献２】特開２００２−１１２１５５
【発明の開示】
【発明が解決しようとする課題】
【０００８】
ところで、上記の放送時刻情報を得ることにより、記録した放送番組を視聴に適した構成に編集して再記録する方法の場合では、録画が２回行われるため録画直後の視聴ができなく、上述の視聴者に対する好適なタイムシフト動作がなされているとは言えない。
【０００９】
また、上記の予約要求を送信することにより、自動更新される電子番組表を用いて修正された電子番組表を基に遠隔予約した番組を記録する録画予約システムの場合では、繰り下げ放送される電子番組表が入手可能な場合には好適な番組録画がなされる。しかしながら、現状では放送時間の変更に対応した電子番組表の提供サービスがなされていないため、この録画予約システムを実際に実現することはできない。
【００１０】
即ち、繰り下げ放送のなされる番組の更新時刻情報の伝送を、例えばアナログテレビジョン放送の場合では、垂直帰線期間（ＶＢＩ）の所定の走査線の個所に更新時刻情報として多重伝送することは技術的にも可能であり、それを前提とした出願もなされてはいるものの、現時点において繰り下げ時刻情報を多重した放送サービスはなされていない。
【００１１】
そこで、例えば、１９：００〜２０：５４まで野球放送があり、それは最大延長時間が３０分である情報が新聞などのテレビ放送番組欄に書かれているとする。そして、その後の２１：００〜２１：５４まで放送されるドラマを録画するときには、野球放送の延長がなされることを考慮して、例えば２１：００〜２２：２４の放送のなされる可能性のある全ての時間帯に対して録画予約を設定して録画する方法がある。
【００１２】
即ち、野球放送などの延長放送に対応した録画予約の設定方法として、延長の有無を自動的に判断して追従する方法を、例えば本願発明者が発明し本願出願人により出願された特願２００１−３２８８６０号公報「放送番組の記録方法、放送番組記録装置、及び放送番組記録用プログラム」（本願出願時に未公開）により行う方法が提案されている。その方法によれば、延長の可能性がある情報を番組表から取得して、あらかじめ延長分を加えて録画予約を設定する方法であり、繰り下げがなされる場合、及びなされない場合の両者に対する録画が可能とされるが、その分大きな媒体記録領域が必要とされる。
【００１３】
そこで本発明は、延長される可能性のある番組に係る延長時間情報を、サーバが収集した情報を基に作成して通信ネットワーク上に公開する。ファイヤウォールにより通信ネットワークからの不法なアクセスから保護されている録画装置は公開された延長時間情報をアクセスして取得する。録画装置は取得した延長時間情報を基に、予め取得してある電子番組表の時刻情報を修正するようにし、予約した番組が繰り下げて放送される場合であっても、実際の放送開始時刻よりその番組の録画を行えるようにする。そのためのサーバにおける延長時間情報の収集方法、及び収集の結果生成された更新電子番組表の配信方法を提供しようとするものである。
【課題を解決するための手段】
【００１４】
本発明は、上記課題を解決するために以下の１）または２）の手段より成るものである。
すなわち、
【００１５】
１）  電子番組表を用いて所望の放送番組を録画予約する録画装置に対し、放送番組の延長に伴い前記電子番組表に記述された前記放送番組の開始または終了時刻が繰り下げられて放送されるときには、外部から得られる放送番組の延長決定情報及び終了時刻情報に基づいて前記繰り下げられた放送の時刻を更新記述した更新電子番組表を作成し、作成された前記更新電子番組表を前記録画装置に配信する更新電子番組表の配信方法であって、
前記電子番組表に記述され、延長される可能性のある延長性番組を検出する第１のステップ（３１２）と、
前記延長情報に基づいて前記延長性番組が延長放送されていることを記述した更新電子番組表を前記録画装置に配信する第２のステップ（３１３、３１５）と、
前記第２ステップの後に、前記終了時刻情報に基づいて作成した更新電子番組表を前記録画装置に配信する第３のステップ（３１３、３１５）と、
を有し、前記録画装置に対し、前記延長性番組の終了以降に前記繰り下げられて放送される予約番組の録画を開始させるようになすことを特徴と更新電子番組表の配信方法。
２）  電子番組表を用いて所望の放送番組を録画予約する録画装置に対し、放送番組の延長に伴い前記電子番組表に記述された前記放送番組の開始または終了時刻が繰り下げられて放送される場合には、外部から得られる放送番組の延長決定情報及び終了時刻情報に基づいて前記繰り下げられた放送の時刻を更新記述した更新電子番組表を作成し、作成された前記更新電子番組表を前記録画装置に配信する更新電子番組表の配信方法であって、
前記電子番組表に記述され、延長される可能性のある延長性番組を検出する第１のステップ（３１２）と、
前記延長性番組は中止されずに放送される第１ステージにあるか、前記延長性番組は延長して放送される可能性がある第２ステージにあるか、前記延長性番組は延長されることが決定された第３ステージにあるか、及び延長されてなされる前記延長性番組の終了時刻が近づきつつある第４ステージにあるか、のステージ情報を記述した前記更新電子番組表を作成して前記録画装置に配信する第２のステップ（３１３、３１５）と、
を有し、前記第２のステップにおいて前記第４ステージにあるときには、前記終了時刻情報に基づいて作成した更新電子番組表を前記録画装置に配信するステップを有することを特徴と更新電子番組表の配信方法。
【発明の効果】
【００１６】
本発明の更新電子番組表の配信方法によれば、以下の１）または２）を提供できる効果を有している。
すなわち、
１）  取得した電子番組表に記述される延長性番組を検出し、放送番組の延長に伴い前記電子番組表に記述された前記放送番組の開始または終了時刻が繰り下げられて放送されるときには、外部から得られる放送番組の延長情報に基づいて前記延長性番組が延長放送されていることを記述した更新電子番組表を録画装置に配信し、その後に終了時刻情報に基づいて作成した更新電子番組表を録画装置に配信するようにしているため、繰り下げ放送のなされる番組に対して録画予約した場合であっても、繰り下げて放送される番組の開始後に予約番組の録画を開始できるようにした更新電子番組表の配信方法を提供できる。
２）  延長性番組に係り、中止されずに放送されるか、延長して放送される可能性があるか、延長されることが決定されたか、延長されてなされる前記延長性番組の終了時刻が近づいたかのステージ情報を記述した更新電子番組表を配信する場合は、その更新電子番組表を配信された録画装置は延長性番組の状態に応じて予約された延長性番組、又は繰り下げ放送番組の好適な録画を行うことができる。
【発明を実施するための最良の形態】
【００１７】
以下、本発明の更新電子番組表の配信方法に係る実施の形態につき、好ましい実施例により説明する。
【実施例１】
【００１８】
図１は、その第１の実施例に関わる更新電子番組表の作成方法を用いる番組予約システムの概略図であり、図面を参照してその構成と動作について述べる。
同図に示す番組予約システムは電子番組表１０４ａをインターネット７に提供する番組表提供プロバイダ１と、放送受信機２１ａ及び制御端末２２ａを有する第１の情報提供者宅２ａと、放送受信機２１ｂ及び制御端末２２ｂを有する第２の情報提供者宅２ｂと、更新情報作成用サーバ３１を格納する更新情報提供プロバイダ３と、ルータ５２を介してインターネット７に接続される録画装置５１を有する利用者宅５とより構成されている。
【００１９】
まず、図示しない放送局から番組表提供プロバイダ１に提供される放送番組予定情報を基に、番組表提供プロバイダ１は電子番組表１０４ａを作成してインターネット７上に公開する。次に、更新情報提供プロバイダ３は番組表提供プロバイダ１から提供された電子番組表１０４ａを取得すると共に、その電子番組表１０４ａに例えば野球放送の様に終了時刻が延長して放送される可能性のある延長性番組が含まれているかを検索する。即ち、電子番組表に記述される文字情報に延長放送に係る情報が、例えば番組解説の中に含まれているかを検出する。そして延長される可能性があるとして検出された番組を延長性番組として認識する。
【００２０】
次に、延長性番組に係り、実際に延長されるか否か、及び延長される場合の延長時間に係る情報の収集を、第１の情報提供者宅２ａ及び第２の情報提供者宅２ｂに依頼するための調査依頼メールを作成し、そのメールをインターネット７を介して伝送する。
【００２１】
それぞれの情報提供者宅２ａ、２ｂでは更新情報提供プロバイダ３から伝送された調査依頼メールに従って延長性番組に関する調査を行う。その調査は、それぞれの情報提供者宅２ａ、２ｂに設置される受像機２１ａ、２１ｂが用いられて行われる。
【００２２】
即ち、それぞれの情報提供者宅２ａ、２ｂの情報提供者達は、延長性番組をそれぞれの受像機２１ａ、２１ｂにより受像し、番組の放送時間の延長に係る情報収集を、表示される映像、及び発音されるアナウンスなどを基に行う、ないしは延長時間の予測を行う。番組の開始前にはインターネットを介して天気情報、及び試合の開催に係る情報も集める。
【００２３】
そして試合開始後は、時時刻刻と変化する放送終了時刻に係る予測時刻情報をメールなどの通信手段により更新情報提供プロバイダ３に伝送する。更新情報提供プロバイダ３の更新情報作成用サーバ３１は受信されるそれぞれの情報提供者宅２ａ、２ｂから伝送される予測時刻情報を解析することにより終了予測時刻を算出する。
【００２４】
ここで重要なのは、延長性番組の終了する例えば５分以上前に実際の番組終了時刻を予想し終えることである。そして終了確実とされた延長性番組の終了予定時刻情報は更新情報作成用サーバ３１の内部にある情報公開部３１９に蓄積される。その情報公開部３１９に蓄積される終了時刻情報は、インターネット７を介して公開される情報である。その情報提供は所定の契約により、又は課金を伴って行われる。
【００２５】
一方、録画機器５１はルータ５２が有するファイヤウォール機能を介してインターネット７に接続されているため、インターネット側の機器から接続を開始して通信を行うことはできない。そこで、録画装置５１は所定の時間間隔で更新情報作成用サーバ３１の情報公開部３１９に蓄積される終了時刻情報をアクセスして取得する。
【００２６】
特に、延長性番組の後に繰り下げて放送される繰り下げ性番組の録画予約をしているときには、録画機器５１は繰り下げ性番組の開始予定時刻情報を、例えば延長性番組終了時刻の５分前よりを取得するようにする。
【００２７】
そして、繰り下げ性番組の録画予約をしており、その番組の開始時刻が接近している場合であっても、延長性番組の延長が決定しているときには、録画機器５１は延長性番組終了時刻情報を取得しつつ、繰り下げ性番組の開始時刻が明確化されるまで録画開始を待機する。
【００２８】
そして、延長性番組の放送終了時刻が明確化されたときに、録画装置５１はその放送終了時刻を基に繰り下げ性番組の開始時刻を更新した電子番組表を作成し、更新された開始時刻から録画を開始する。録画終了時刻もまた更新された電子番組表の繰り下げられた時間を基にして繰り下げられた時間までを延長して記録する。
【００２９】
ここで、ルータ５２を介してインターネット７に接続される録画装置５１は、ルータ５２のファイヤウォール機能、ないしはルータ５２のＮＡＴ（Network Address Translator）機能のためサーバ３１の側から録画装置５１に対して放送終了時刻情報を伝送できない。そこで録画装置５１は、サーバ３１を定期的にアクセスして延長性番組の状態に係るステージ情報を得、そのステージ情報により延長性番組の放送終了時刻が接近したときには、サーバ３１のアクセス頻度を増加させ、延長正番組の放送終了時刻情報を得て電子番組表を更新させることにより、繰り下げ性番組の繰り下げ放送時刻情報を得るようにする。
【００３０】
ここで、得られるステージ情報によってサーバ３１をアクセスする頻度を変えるのは、図示しない複数の録画装置により上述の動作がなされ、その度に行なわれる認証作業も含めて増加するインターネット７に加えられる負荷を必要以上に大きくさせないようにするためである。即ち、延長性番組終了後、例えば1時間を経過して放送される繰り下げ番組を記録する録画装置の場合には、延長性番組の終了時刻情報を早期に入手する必要がないことによる。
【００３１】
そして、更新情報作成用サーバ３１は、延長性番組の延長の可能性がないときには延長可能性なしに係るステージ情報をそれぞれの録画装置５１からのアクセスに対して伝送する。例えば雨で試合が中止された場合などでは延長性番組が延長される可能性なしの情報を提供する。
【００３２】
録画装置５１は、延長可能性なしの情報を得たときには、その後の更新情報作成用サーバ３１へのアクセスを行わず、延長性番組が延長されない、及び繰り下げ性放送番組の繰り下げ放送がなされないものとしてその後の録画予約に係る動作を実行する。
【００３３】
そのようにして、更新情報作成用サーバ３１から伝送される延長性番組の延長情報としては延長の可能性がある／なしに係る情報、延長の可能性があるときには延長可能性情報、延長時間推定情報、さらに延長時間決定情報などのそれぞれの時刻に応じた段階的な延長情報が更新情報作成用サーバ３１から提供されるようになされている。
【００３４】
録画装置５１は、それらの状況に応じた延長に係るステージ情報を更新情報作成用サーバ３１より取得することにより、更新させた電子番組表を作成でき、その番組表を基にした好適な録画時刻の設定ができ、好適に録画動作の開始、終了に係る制御を行うことができる。
【００３５】
さらに、更新情報作成用サーバ３１から得られるステージ情報は、図示しない放送番組視聴装置（ＴＶ受像機）により用いることができる。例えば、延長性番組と異なる放送を受信しつつ繰り下げ性番組の開始を待機しているときなどである。
【００３６】
放送番組視聴装置は、更新情報作成用サーバ３１から得られるステージ情報を視聴中の画面に字幕により表示するようにし、延長性番組の延長時間が決定され、繰り下げ性番組の放送時刻が近づいたときにはその情報を利用者に伝達する。利用者は、得られた情報を基に繰り下げ性番組の開始直前にチャンネル変更し、その番組の最初から視聴が可能とされる。従って、番組開始前の時間を有効に活用することができる。
【００３７】
ここで、延長性番組の終了時刻情報は、その放送チャンネルの映像信号の例えば垂直帰線期間に多重されて伝送される情報ではなく、インターネット７を介して得られる情報であるため、放送番組視聴装置が有するチューナが１つのチャンネルのみを受信可能とする場合においても、更新された電子番組表を作成することにより繰り下げ性番組の開始に係る更新情報を、例えば字幕により表示することができる。
【００３８】
以上、番組予約システムの構成とその動作について概説した。
次に、番組予約システムを構成するそれぞれの装置について、それらの構成及び動作について更に述べる。
【００３９】
図２に、電子番組表提供サーバの構成を示し、図面を参照してその動作について述べる。
同図に示す電子番組表提供サーバ１０は通信部１０１、管理部１０２、及び電子番組表記憶部１０４とより構成される。
【００４０】
まず、通信部１０１を介して放送事業者等から供給される放送予定番組の情報をインターネットなどから得て管理部１０２に供給する。その管理部１０２ではそれぞれの放送事業者から供給される番組表を整理、編集し、いわゆる電子番組表１０４ａとして作成し、電子番組表記憶部１０４に記憶する。
【００４１】
その電子番組表１０４ａには、例えば延長性番組、及び繰り下げ性番組が存在するときには、放送事業者から提供される情報を基に最大延長時間等の記述を行う。しかし、実際の放送で延長性番組の延長放送がなされるときは、記述した時刻情報の更新、修正は行わない。
【００４２】
そこで、延長性番組の延長時間情報及び繰り下げ性番組の繰り下げ時刻情報は更新情報提供プロバイダ３により生成し、インターネット７上に例えば有料情報として提供する。
図３に、更新情報作成用サーバ３１の構成を示し、図面を参照しその動作について述べる。
【００４３】
同図に示す更新情報作成用サーバ３１は、表示部３１１、データ処理部３１２、更新情報生成部３１３、操作部３１４、通信部３１５、メール作成部３１６、ＣＰＵ（Central Processing Unit）３１７、データ蓄積部３１８、及び情報公開部３１９より構成される。
【００４４】
まず、通信部３１５はインターネット７を介して電子番組表提供サーバ１０に蓄積される電子番組表１０４ａを取得する。取得された電子番組表はデータ処理部３１２において解析される。即ち、番組解説の文字列の中に、例えば「最大延長」、「繰り下げ」などの延長される可能性を示す文字情報が含まれるかを検出する。
【００４５】
そして、延長性番組が検出されたときにはメール作成部３１６により、それぞれの制御端末２２ａ、２２ｂに対して番組の延長に係る情報の収集を依頼するための調査依頼メールを作成し、通信部３１５を介して制御端末２２ａ、２２ｂを宛先とした図示しないメールサーバに対して伝送する。
【００４６】
それぞれの制御端末２２ａ、２２ｂからは、調査依頼メールを基に延長性番組に関する後述のそれぞれの延長ステージに係る情報、及び延長時間情報等が伝送される。また、制御端末の数は必要に応じて３以上とし、多くの延長ステージに係る情報及び延長時間情報を得る様にする。
【００４７】
それらの複数の制御端末から返送された延長放送に係る情報はデータ処理部３１２により、現時点の放送はどのステージにおける延長状態であるかを特定する。さらに、制御端末側で推定して伝送した推定延長時間に係り、その分布を求める。
【００４８】
求められた推定延長時間の分布が所定の時間幅に達したときは延長時間を確定し、その確定された延長時間情報を録画装置５１に提供する。即ち、サーバ３１は、更新情報生成部３１３により録画装置５１に提供するための延長ステージ情報、推定延長時間情報、及び決定延長時間情報を含む更新情報を生成する。そして、生成された更新情報を情報公開部３１９に記憶する。また、そこに記憶された情報は、認証された録画装置５１により、インターネット７を介して読み出しが可能とされる。
【００４９】
なお、上記の動作はコンピュータを駆動するプログラムソフトにより実行される。そのプログラムソフトは操作部３１４が操作されて通信部３１５よりロードされてデータ蓄積部３１８に蓄積される。表示部３１１は上記の動作状態の監視を行い、ＣＰＵ３１７はプログラムソフトの実行を行う。
【００５０】
以上、更新情報作成用サーバ３１の構成と動作について述べた。
図４に、制御端末２２の構成を示し、図面を参照してその動作について述べる。
同図に示す制御端末２２は、それぞれの制御端末２２ａ及び２２ｂと同一の構成であり、表示部２２１、メール作成部２２２、操作部２２３、通信部２２４、ＣＰＵ２２５、及び蓄積部２２６より構成される。
【００５１】
まず、更新情報作成用サーバ３１より伝送され、図示しないメールサーバに蓄積された調査依頼メールは通信部２２４により受信され、表示部２２１に表示される。そのメールを見た情報提供者は受像機２１により延長性番組の視聴を行う。また、インターネット上に公開される延長性番組で放送される番組に係る情報の収集を行う。
【００５２】
情報提供者は、延長性番組の進行に応じて、その都度毎に後述の延長ステージに係る情報及び推定延長時間情報を操作部２２３から入力し、メール生成部２２２によりその情報を含むメールを作成し、通信部２２４を介して更新情報作成用サーバ３１に伝送する。ＣＰＵ２２５はそれらの動作を実行し、蓄積部２２６には実行プログラム、及び処理途中のデータ等を蓄積するためのものである。
【００５３】
以上、制御端末の構成とその動作について述べた。
図５に、録画装置の構成を示し、図面を参照してその動作について述べる。
同図に示す録画装置５１は、通信部５１１、ＣＰＵ５１２、メモリ５１３、操作部５１４、システムコントロール部５１５、ビデオ信号記録再生部５１６、及び記録媒体５１７より構成される。また、ビデオ信号記録再生部５１６は圧縮伸長回路部５１６ａ、入出力回路部５１６ｂ、及びビデオデータ記録再生回路部５１６ｃよりなっている。
【００５４】
まず、録画装置５１の利用者は操作部５１４を操作し、通信部５１１、ルータ５２、及びインターネット７を介して番組表提供プロバイダ１の電子番組表１０４ａを取得すると共に、図示しない表示部に表示する。そして、操作部５１４を操作して繰り下げ性番組の録画予約を行った場合の動作について説明する。その録画予約の操作及び設定はＣＰＵ５１２を介して行われ、録画予約の設定内容はメモリ５１３に格納される。
【００５５】
ＣＰＵ５１２は計時手段を有し、現在時刻と録画設定時刻を比較し、録画設定時刻が到来するまで待機する。一方、ＣＰＵ５１２は通信部５１１を介して定期的に更新情報提供プロバイダ３が更新情報作成用サーバ３１の情報公開部３１９に公開する延長ステージ情報及び推定延長時間情報等を取得する。
【００５６】
そして、ＣＰＵ５１２は、繰り下げ性番組の録画開始に際し、延長性番組の延長決定情報が得られたときには、更新された電子番組表に記述される繰り下げ性番組の開始時刻情報が到来するまで待機状態を継続する。
【００５７】
やがて延長正番組の終了時刻が決定され、繰り下げ性番組の開始時刻が更新された時刻情報が得られたときには、その時刻情報に従った録画動作を行う。即ち、ＣＰＵ５１２は図示しないチューナの受信チャンネルを目的のチャンネルに設定すると共に、システムコントロール部５１５に対し録画開始の命令を行うための動作を開始させる。
【００５８】
即ち、システムコントロール部５１５はビデオデータ記録再生部に対して記録を開始させるためのコントロール信号を供給する。ビデオ信号記録再生部５１６はチューナから供給される映像信号を入力部５１６ｂで取得し、圧縮伸長部５１６ａで例えばＭＰＥＧ（moving picture experts group）−２方式により圧縮符号化を行い、ビデオデータ記録再生部でディジタル変調を行い記録媒体５１７に記録する。
【００５９】
ここで、記録媒体５１７は、ＶＴＲ用のテープ、ハードディスク、及びＤＶＤ−ＲＡＭ等の記憶媒体が用いられる。そして、その記録媒体に他の番組も録画されているなど、大きな記録容量が確保されていないときであっても、繰り下げ性番組が放送される時間帯のみの録画を行うため、その番組の記録途中で記録領域がなくなり途中で録画を終了するような不具合は生じない。
【００６０】
以上、番組予約システムを構成するそれぞれの装置の構成と動作について述べた。
次に、番組予約システムの動作について更に詳細に述べる。
図６に、番組表提供プロバイダ１から提供される電子番組表１０４ａの記述例を示す。
【００６１】
同図において、放送者Ａにより１９時から開始されるプロ野球は、２０時５４分の終了予定が２１時２４分まで最大延長される可能性があり、延長の場合には以降の番組○○は繰り下げて放送されることが記述されている。
【００６２】
次に、この電子番組表を取得した更新情報作成用サーバ３１は情報提供者宅２ａ、２ｂの制御端末２２ａ、２２ｂに対して延長性番組であるプロ野球の放送に係る情報収集を依頼する。例えば、屋外球場で行われ、雨天の場合などはゲームが中止されるが、その中止情報は放送開始前に得られる。この場合の延長はない。
【００６３】
そして、例えば２０：３０頃に試合が終了した場合には延長されないことがわかる。これらの延長放送がないと判断されるときには、第１の投票者宅２ａ側の情報提供者は制御端末２２ａを操作して延長可能性なしの前述のステージ情報を更新情報作成用サーバ３１に伝送する。
【００６４】
図７に、延長性番組の放送状態に係るステージ、番号、及びその状態に係る分類を示す。
ステージ０は延長性放送が中止と決定されている状態である。ステージ１は延長性放送が予定通り放送されることが決定されている状態である。ステージ２は延長放送の時間内終了が決定されている状態である。ステージ３は通常終了時刻の間際までゲームが行なわれている場合であり、延長の可能性がある場合である。ステージ４は、放送延長が決定されたもののゲーム終了時刻の予測が困難な状態である。
【００６５】
そして、ステージ５は情報提供者による延長放送終了時刻の予測が可能とされる状態であり、予測者は５分単位程度の時間間隔で終了時刻を予想する。また、場合により予測時間を５分単位で延長する。
【００６６】
ステージ６はゲームが終了し、繰り下げ放送時刻がテロップ、アナウンスで案内される状態である。これにより繰り下げ放送時刻の決定がなされる。さらに、ステージ７は最大延長時間で放送が強制終了される状態であり、この情報もテロップ、アナウンスなどで案内される。ステージ８は、最大延長時間を超えて延長放送を行う異例な場合であり、その場合も放送者から情報が提供される。
【００６７】
ここで、延長時間推定のステージ５は終了時刻を予想する情報提供者ごとに異なる情報が更新情報作成用サーバ３１に伝送される。従って、正確な終了時刻の予想を行うためには情報提供者の数を増加させる、及び提供された投票結果のデータ分析を、例えば分布値より分析することにより、より正しいとされる終了時刻を推定するようにする。しかし、信頼性の高い終了時刻情報を得ることは出来ない。
【００６８】
図８に、更新情報作成用サーバ３１の情報公開部３１９に公開される延長ステージ情報及び推定延長時間の記述例を示す。
この情報は、録画装置５１により得られて繰り下げ性番組の録画開始時刻の更新に用いられる他、放送者Ａ以外の放送を受信中であり、ゴールデン○○の繰り下げ放送を待機中の利用者が受信中の表示画面に、字幕表示させるなどの利用がされる。
【００６９】
従って、その記述はＣＰＵ５１２によりステージ情報と繰り下げ放送時刻情報とが容易に得られるような記述形式によっている。しかし、録画装置５１はルータ５２を介してインターネット７に接続しているため、サーバ３１は更新された延長ステージ情報及び決定された繰り下げ時刻情報などを、録画装置５１に対して直接伝送することはできない。
【００７０】
それは前述のように、ルータ５２が有するファイヤウォール機能によりインターネット７側からの不正なアクセスを防止していること、及びグローバルＩＰアドレスを有しない録画装置５１に対してルータ５２が有する１つのグローバルＩＰアドレスを共有するなど、いわゆるＮＡＴ機能により接続されていることによる。
【００７１】
従って、録画装置５１から更新情報作成用サーバ３１をアクセスしたときのみに、録画装置５１はその時点における延長ステージ情報及び延長情報が得られることになる。そして、録画装置５１はステージ情報を参照することにより最適な更新情報作成用サーバ３１へのアクセス間隔を定めてアクセスするようにし、決定された繰り下げ時刻情報を必要に応じて早期に取得する。
【００７２】
そして、繰り下げ情報を取得した録画装置５１及び放送受信装置は、繰り下げ情報を基に更新された電子番組表を作成する。
図９に、繰り下げ時間が２０分である場合の電子番組表を示す。
【００７３】
同図において、前述の図６に比し、放送者Ａのミニ番組とゴールデン○○の放送開始時刻が２０分間繰り下げられている。即ち、録画装置５１のＣＰＵ５１２は、メモリに蓄積されている電子番組表を繰り下げ放送時刻情報を基に修正した更新電子番組表を作成したものである。
【００７４】
そして、ＣＰＵ５１２は、例えば録画開始１分前の２１時１９分に図示しないチューナに対して放送者Ａを選局するための命令を出し、またシステムコントロール部５１５に対しては２１時２０分より録画を開始させるための指示をし、そこからビデオ信号記録再生部５１６に対してそのためのコントロール信号が出力される。
【００７５】
ここで、ゴールデン○○が繰り下げて放送されるため、番組の最後の部分が先に予約されている他の番組と録画が重複することもある。従って、繰り下げ性番組の録画予約を設定するときには、繰り下げ放送されたときの放送時間が重複する番組に対してどちらの番組を優先して記録するかを、予め利用者が選択出来るようにしておく必要がある。
【００７６】
また、プロ野球の録画が設定されているときには、録画を継続して２１時１４分まで行うようにする。なお、記録媒体５１７は、延長放送されたときにも記録領域が不足しないように、延長性番組の録画が設定されるときには、最大延長時間に対する記録領域を確保するよう、予め利用者に注意を促すことも必要である。
【００７７】
以上、延長性番組の延長時間決定後の更新電子番組表、及びそれに基づく録画の動作について述べた。
なお、サーバ３１から得られる繰り下げ情報が、ステージ４、５である場合には、プロ野球及び繰り下げて放送される放送部分の表示色を通常と異ならせ、現在繰り下げ中であることを利用者に通知するようにしても良い。
【００７８】
そして、上述の方法によれば、放送番組が繰り下げられる前、繰り下げ中、及び繰り下げ時間決定後のいずれの時刻において行った録画予約も好適に実行される。また、繰り下げられて放送される例えばゴールデン○○の後に放送される番組を録画予約する場合であっても録画予約の設定を好適に行うことができる。
【００７９】
特に、深夜番組を録画する場合においては、プロ野球が延長されたか否かの情報は使用者にとって意味がない。使用者には更新された電子番組表を基に希望する番組の視聴、および録画ができればよく、使用者側に正しい放送時刻情報を提供することが重要である。
【００８０】
図１０に、繰り下げ放送の適用時間帯に係り更新情報作成用サーバから供給される情報の例を示す。
同図において、２０分間繰り下げられる放送は翌朝の５時まで継続されることを示している。
【００８１】
その繰り下げ放送の適用時間帯は、例えば放送休止時間帯があればその間に放送時刻の調整がなされる。しかし、深夜から朝まで継続して放送がなされる場合では、繰り下げ時間の調整に係る情報は放送事業者のみが有している。従って、更新情報提供プロバイダ３は、繰り下げ放送適用時間帯の適用について放送事業者から情報を得て、又は許可を得て後に情報公開部３１９で適用情報を公開することになる。
【００８２】
以上、サーバ３１９がそれぞれの情報提供者宅２ａ、２ｂから得られる情報を基にして作成した、延長ステージ情報及び延長時間推定情報を公開する方法について述べた。将来的には、音声認識、及び画像認識の技術を用いて放送内容の把握及び延長放送時間の推定並びに決定が可能になるものと予想される。しかし、認識技術を用いて行う延長時間の自動推定が実現されるまでには更に日時を要すと考えられる。
【００８３】
さらに、延長放送のなされかたは親局とローカル局によって異なる時間が設定されることが多い。従って、更新情報提供プロバイダ３は親局に対しては勿論のこと、ローカル局のエリア毎のそれぞれに配置して上記のサービスを行う必要がある。
【００８４】
本実施例では、複数の情報提供者宅において、それぞれの情報提供者により制御端末が操作されて入力された情報が更新情報作成用サーバ３１で集計され、そこで推定延長時間が決定できる様にされている。そして、得られた延長時間情報を基に作成した更新電子番組表を基にして、録画装置５１は繰り下げ番組の録画予約設定時刻を自動更新する番組予約システムの構成を実現した。
【００８５】
次に、上述の番組予約システムによれば、野球放送が中止されたときに放送される番組の録画予約を行うことも可能となる。次に、延長性番組の放送中止時に放送される代替番組の予約について述べる。
【００８６】
図１１に、更新された電子番組表の表示例を示す。
同図において、（ａ）は番組表提供プロバイダ１から提供された電子番組表である。そして、放送当日の天気が雨であり、更新情報作成用サーバ３１からステージ０の情報が得られたときに、録画装置５１は（ｂ）に示す更新番組表を作成し、利用者に提示する。
【００８７】
その時点で録画装置５１の利用者は、旅の××××、ないしは現代▽▽▽の番組の録画予約を設定することができる。なお、ここで（ｂ）に示す番組表は上記（ａ）に示される情報を編集して作成したものである。そして、更新情報作成用サーバ３１が延長性番組が中止されたときに放送される代替番組の情報を更に有しているときには、その情報を基に編集した更新電子番組表を作成し、情報公開部３１９に公開するようにしても良い。
【００８８】
一方、延長性番組が予定通り放送されるときには、前述の図７に示したステージ１の情報が得られる。そのときには（ｃ）に示す更新電子番組表を作成し、放送が予定通りなされることを利用者に提示すれば好適である。
【００８９】
図１２に、ステージが２以上であるときの電子番組表の表示例を示す。
同図において、（ｄ）はステージ２の状態において試合が終了し、その後の番組が繰り下げられることなく放送されることを示している。（ｅ）は、延長放送が決定された状態でのステージ３〜４における表示であり、ミニ番組及びゴールデン○○は色替えされて、又は薄い表示色で表示されている。
【００９０】
（ｆ）はステージ５における延長放送中の表示であり、その後の放送番組を推定される時間だけ繰り下げ、色替え、又は薄く表示されている。（ｇ）はステージ６における表示であり、繰り下げ放送時刻も決定された状態での表示である。ここで、更新された放送時刻情報は他の番組と同一の通常色により表示されている。
【００９１】
以上、それぞれのステージにおいて更新して表示される電子番組表の表示例について述べた。そして、上述のステージ情報は更新情報提供プロバイダ３に設置、運営される更新情報作成用サーバ３１から提供されるものが用いられている。
【００９２】
従って、更新情報提供プロバイダ３は利用者に対して行う課金によりビジネスとして上述の番組予約システムを運営することができる。
次に、本発明のネットワークを利用した番組表修正サービスに係るボランティアにより番組予約システムを運営する第２の実施例による番組予約システムについて述べる。なお、番組予約システムの動作は前述の第１の実施例と同様であり、第２の実施例では主にビジネスモデルとしての応用について述べる。
【実施例２】
【００９３】
図１３に、第２の実施例による番組予約システムの構成を示し、図面を参照して説明する。
同図に示す番組予約システムは、番組表修正情報を提供するサービス運営会社１２と、サーバ３２と、複数のエージェント４２ａ、４２ｂ、・・・、及び４２ｍと、番組を録画する側の複数のレコーダ所有者６２ａ、６２ｂ、・・・、及び６２ｎと、インターネット７とより構成される。
【００９４】
まず、サービス運営会社１２は、関東圏と大阪圏でエージェントとなってくれるボランティアをそれぞれ３０名程度募集する。応募者とは面接して有望な人を選び出す。また、会社勤めの人よりも自宅にいることの多い主婦の方が好ましい。そして、応募者はＰＣを所有しており、且つインターネットに常時接続している人に限定する。
【００９５】
人選されたボランティアはエージェントとして、インターネット７に常時接続されるＰＣを操作して番組表修正のために有効な情報の入力を行い、サーバ３２に伝送する。サーバ３２は、多数決で信頼できると判断した情報をレコーダ（第１実施例の録画装置と同じ）所有者が閲覧可能な公開情報部に、延長性番組の延長時間情報、ないしは電子番組表の修正情報として掲載する。
【００９６】
例えば、サーバ３２は５名のエージェントから同一内容の情報が提供されたときは、その情報を正しいと認識する。そして、番組表修正情報サービスはボランティアによって運営されるものであり、レコーダ所有者に対してサービスを無料提供する。
【００９７】
即ち、レコーダ所有者は番組表修正のサービスを利用する際に、レコーダをインターネット７に接続すると共に、予めレコーダに設けられている番組表修正情報の受信設定をオンにするだけで利用できるようにする。
【００９８】
従って、情報の正確さはサービス運営会社により保証はされないが、充実されつつあるネット社会では無保証のボランティアによるサービスであっても事実上満足されるサービスの提供が可能とされるものである。当然、レコーダ側で番組表修正情報の受信設定をオフとするのは自由である。
【００９９】
一方、野球などの放送が延長してなされるか否かは、その番組を提供しているスポンサーの意向によっても異なる。従って、サーバ３２は放送エリア毎に番組表修正情報を提供する必要がある。又は、放送エリア毎にサーバ３２を設置するようにしても良い。
【０１００】
ここで、サービス運営会社１２はボランティアの会社であるが、実際にはレコーダの製造者、ないしはレコーダの販売者が副業として運営する場合もある。その場合では、製造者及び販売者は利用者にサービスを提供することにより、レコーダの拡販に結びつけることができる。
【０１０１】
そして、サービス運営会社１２は適当な人員のエージェントを募集し、入力作業を依頼する。依頼したエージェントに対してはリモートログイン専用のＩＤとパスワードを与える。不幸にして期待にそえない、例えば入力された情報が正しくない、又はボランティアの時間を確保できないエージェントに対してはそのＩＤを使えないようにする。
【０１０２】
エージェントの募集をレコーダの購入者に限り、謝礼も月額１０００円程度のプリペイドカードとする方法もある。謝礼（報酬）の額が少ないので実質ボランティアと言える。当然、期待にそえないエージェントはＩＤを剥奪し、謝礼の送付も中止する。
【０１０３】
エージェントの募集をレコーダの購入者に限り、しかも謝礼は全くなしとする方法もある。現代のネット社会ではそれでも十分にシステムが機能する可能性が高い。
次に、エージェントからの入力情報を管理し、サーバ３２に中継して伝送する方法について述べる。
【０１０４】
図１４に、管理装置を設ける場合のエージェントの接続形態を示す。
同図において、複数のサブエージェント４３ａ、４３ｂ、・・・、４３ｊから伝送される番組表の修正に係る情報はスーパエージェント４４の管理装置に供給される。
【０１０５】
スーパエージェント４４は、サブエージェント４３ａ、４３ｂ、・・・、４３ｊから供給される番組表修正情報を多数決ロジックにより判断し、正しいとされる情報のみを選択してサーバ３２に伝送する。従って、スーパエージェント４４は信頼性の高いデータのみを伝送するため、そのエージェントにはサーバ３２をアクセスするためのスーパＩＤとパスワードが与えられる。
【０１０６】
ここで、スーパエージェント４４は、サブエージェント活動を所定期間行い、優秀な成果を上げた人のみに与えられる資格である。当人にとって、スーパＩＤとパスワードを有することが１つのステータスであり、レコーダ所有者の利益に貢献していることを誇りにする人により任務が遂行される。
【０１０７】
以上のようにして、サービス運営会社１２は、ネット社会においてボランティアの貢献により成されるサービスを形成し、且つそのサービスを有することを用いて競合他社よりも販売実績を向上させることが期待できるものである。
【０１０８】
即ち、エージェント活動をボランティアに依頼する番組予約システムによれば、サービス運営会社１２はサーバ３２を管理しており、特に許可した人のみをエージェントとし、サーバ３２へのログイン資格を与えると共に、ボランティアとしての報酬またはインセンティブを与える。エージェントは放送を視聴して野球放送の延長情報をサーバ３２に提供することにより、延長情報提供サービスの利用者に貢献できる。
【０１０９】
サーバ３２は複数のエージェントから伝送される延長情報を多数決ロジックにより多数決判断し、正しいとされる情報をサーバ３２の情報公開部を介し、その情報をレコーダから取得可能とする。レコーダの所有者は、このサービスが有料とされる場合は利用料を支払う。そして、取得した番組表修正情報を基にして修正された電子番組表を作成し、利用者に提供する。
【０１１０】
以上、第１及び第２の実施例による電子番組表の修正、及びそれを応用して動作する番組予約システムの構成と動作について述べた。そして、上述の番組表修正サービスを番組受信用のＴＶ受像機に対して用い、好適な受信機能を実現することができる。
【０１１１】
即ち、電子番組表を取得して表示するＴＶ受像機には、例えばタイトルオンスクリーンと称する機能があり、その機能はチャンネル変更操作を行ったときなどに受信を開始した番組のタイトルをスーパーインポーズして表示する機能として用いられている。そこに表示される番組内容についても繰り下げ放送に対応した正しい情報を表示することができる。そして、電子番組表を備えたＴＶ受像機で視聴予約を行った場合でも、繰り下げ放送に対応し、実際の番組開始時点から受信動作が行なわれる。
【０１１２】
以上、更新情報作成用サーバ３１が収集した延長性番組の放送延長時間情報を基にして、レコーダの所有者側でなされる放送番組の録画ないしは視聴を行う番組予約システムについて述べた。そして、放送技術の進歩した今日においても、放送事業者から延長時間情報に係る適切な情報が提供されることなく運営されているため、上述のような番組予約システムの実現が求められる。
【０１１３】
一方、２００３年１２月からはディジタル地上放送が日本の３大都市で開始される。そして、ディジタル地上放送方式においては、電子番組表をデータチャンネルで放送可能であり、延長性番組の延長時間情報の送出も技術的に困難ではない。
【０１１４】
しかし、上述のようにローカル局の都合により延長性番組の延長、非延長が決定される現状において、延長時間情報の提供は地方局を単位として行う必要がある。例えば、現在のディジタルＢＳ放送は、他の放送局の番組表をも送出するようにしているが、ディジタル地上放送の場合では他局を含めた情報の提供が困難であり、延長性番組の延長時間情報の提供はされないと考えられる。
【０１１５】
従って、仮にディジタル地上波放送局から延長情報が放送される場合であっても、その情報は同一チャンネルの放送波に対してのみとなるであろう。従って、例えば、２１：００まで野球放送以外のチャンネルで放送される番組を録画していたときなどには、録画装置は野球放送が延長される情報を他チャンネルの放送波から前もって取得することができないことも予想される。
【０１１６】
そこで、仮に地上波ディジタル放送局が、自局の延長情報を放送することが実現できる場合では、その放送に対する上述のエージェントは不用になる。一方、その場合にはサーバ３１又は３２は、同様のサービスを行なう複数の放送局のそれぞれの延長時間情報を取得し、その地域で受信される複数チャンネルの番組に係る番組表修正情報を作成して利用者にインターネットなどを介して提供するようにしても良い。その場合での、インターネット経由の番組表修正情報は、録画装置ないしはテレビ受像機で設定される受信チャンネルに関係なく修正情報を取得でき、好適である。
【０１１７】
さらに、発明は、上述した更新情報作成サーバをコンピュータにより実現させるためのプログラムを含むものである。そのコンピュータを実行させるためのプログラムは、例えば、
【０１１８】
電子番組表を用いて所望の放送番組を録画予約する録画装置に対し、番組の放送延長に伴い前記電子番組表に記述された時刻が変更されて繰り下げ放送がなされるときには、前記繰り下げ放送に係る時刻情報を記述した更新電子番組表を作成して前記録画装置にネットワークを介して伝送する機能を有して実行される番組情報更新サーバ用プログラムであって、
前記電子番組表に記述され、延長放送される可能性のある延長性番組を検出する第１のステップと、
前記第１のステップで検出された延長性番組の延長に係る情報の提供をネットワークに接続される複数の端末に依頼する第２のステップと、
前記複数の端末から、前記延長性番組は中止されずに放送されることを示す第１ステージ、前記延長性番組は延長して放送される可能性があることを示す第２ステージ、前記延長性番組は延長されることが決定されたことを示す第３ステージ、及び延長されてなされる前記延長性番組の終了時刻が近づいたことを示す第４ステージ、のうちのいずれのステージであるかのステージ情報を得、得られた前記ステージ情報を前記録画装置に伝送する第３のステップと、
前記第３のステップにおいて第４ステージの情報が得られるときには、前記複数の端末から伝送されるそれぞれの終了予想時刻の分布を求め、前記終了予想時刻の分布が所定の時間範囲になったときは、前記終了予想時刻を基に前記延長性番組の終了予測時刻を決定する第４のステップと、
を少なくとも有して前記サーバを制御する番組情報更新サーバ用プログラムである。
【産業上の利用可能性】
【０１１９】
電子番組表に制御されて動作する放送受信装置、及び受信信号を記録する放送録画装置に対して、電子番組表に記載される放送時刻が変更されて放送される場合であっても、その更新された放送時刻に対応し、目的とする番組の視聴及び録画を好適に行うことのできる放送受信装置、及び放送録画装置の実現に利用できる。さらに、番組情報更新サーバから放送受信装置に対して通信ネットワークを介して電子番組表の更新情報を送信するネットワークを利用した番組表修正サービスの形態を実現できる。
【図面の簡単な説明】
【０１２０】
【図１】本発明の第１の実施例に係る、番組予約システムの概略ブロック構成を例示した図である。
【図２】本発明第１のの実施例に係る、電子番組表提供サーバの概略ブロック構成を例示した図である。
【図３】本発明の第１の実施例に係る、更新情報作成サーバの概略ブロック構成を例示した図である。
【図４】本発明の第１の実施例に係る、制御端末の概略ブロック構成を例示した図である。
【図５】本発明の第１の実施例に係る、録画装置の概略ブロック構成を例示した図である。
【図６】本発明の第１の実施例に係る、放送の予定される電子番組表を例示した図である。
【図７】本発明の第１の実施例に係る、延長性番組の状態をステージにより例示したものである。
【図８】本発明の第１の実施例に係る、サーバの情報公開部で公開する情報の記述例である。
【図９】本発明の第１の実施例に係る、繰り下げ放送時の電子番組表を例示した図である。
【図１０】本発明の第１の実施例に係る、サーバの情報公開部で公開される繰り下げ情報の記述例である。
【図１１】本発明の第１の実施例に係る、延長性番組を含む電子番組表の記述例を示した図である。
【図１２】本発明の第１の実施例に係る、繰り下げ性番組を含む電子番組表の記述例を示した図である。
【図１３】本発明の第２の実施例に係る、番組予約システムの概略構成を例示した図である。
【図１４】本発明の第２の実施例に係る、管理装置を設ける場合のエージェントの接続形態を例示した図である。
【符号の説明】
【０１２１】
１    番組表提供プロバイダ
２ａ    第１の情報提供者宅
２ｂ    第２の情報提供者宅
３    更新情報提供プロバイダ
５    利用者宅
７    インターネット
１０    電子番組表提供サーバ
１２    サービス運営会社
２１ａ、２１ｂ    放送受信機
２２、２２ａ、２２ｂ    制御端末
３１    更新情報作成サーバ
３２    サーバ
４２ａ、４２ｂ、・・・、４２ｍ    エージェント
４３ａ、４３ｂ、・・・、４３ｊ    サブエージェント
４４    スーパエージェント
５１    録画装置
５２    ルータ
６２ａ、６２ｂ、・・・、６２ｎ    レコーダ所有者
１０１    通信部
１０２    管理部
１０４    電子番組表記憶部
１０４ａ    電子番組表
２２１    表示部
２２２    メール作成部
２２３    操作部
２２４    通信部
２２５    ＣＰＵ
２２６    蓄積部
３１１    表示部
３１２    データ処理部
３１３    更新情報生成部
３１４    操作部
３１５    通信部
３１６    メール作成部
３１７    ＣＰＵ
３１８    データ蓄積部
３１９    情報公開部
５１１    通信部
５１２    ＣＰＵ
５１３    メモリ
５１４    操作部
５１５    システムコントロール部
５１６    ビデオ信号記録再生部
５１６ａ    圧縮伸長回路部
５１６ｂ    入出力回路部
５１６ｃ    ビデオデータ記録再生回路部
５１７    記録媒体
【図１】
2005109671.tif 000003
【図２】
2005109671.tif 000004
【図３】
2005109671.tif 000005
【図４】
2005109671.tif 000006
【図５】
2005109671.tif 000007
【図６】
2005109671.tif 000008
【図７】
2005109671.tif 000009
【図８】
2005109671.tif 000010
【図９】
2005109671.tif 000011
【図１０】
2005109671.tif 000012
【図１１】
2005109671.tif 000013
【図１２】
2005109671.tif 000014
【図１３】
2005109671.tif 000015
【図１４】
2005109671.tif 000016